(57)【要約】【課題】排稈搬送装置において、グリス不足やグリス切れを防止し、排稈レールの円滑な動作を維持する。【解決手段】脱穀済みの排稈を、排稈フィードチェン２５と排稈レール２６との間で挟持搬送する排稈搬送装置１９において、排稈レール２６に突設されるレール支持ピン２７を、レール支持ブラケット３０でスライド自在に支持すると共に、レール支持ピン２７の外周部に、排稈レール２６を排稈フィードチェン２５に向けて付勢するスプリング３１を設け、該スプリング３１の上端部を、レール支持ピン２７に設けられる上側スプリング受け部３２で受止める一方、スプリング３１の下端部を、レール支持ブラケット３０に設けられる下側スプリング受け部３３で受止めるにあたり、下側スプリング受け部３３に、環状の溝部４２を形成し、ここにスプリング３１の下端部と共にグリスを入れる。【選択図】　　　　図２
2004097049.tif 000002
【特許請求の範囲】
【請求項１】
脱穀済みの排稈を、排稈フィードチェンと排稈レールとの間で挟持搬送する排稈搬送装置において、前記排稈レールに突設されるレール支持ピンを、レール支持ブラケットでスライド自在に支持すると共に、レール支持ピンの外周部に、排稈レールを排稈フィードチェンに向けて付勢するスプリングを設け、該スプリングの上端部を、レール支持ピンに設けられる上側スプリング受け部で受止める一方、スプリングの下端部を、レール支持ブラケットに設けられる下側スプリング受け部で受止めるにあたり、該下側スプリング受け部に、環状の溝部を形成すると共に、この溝部にスプリング下端部及びグリスを入れたことを特徴とする排稈搬送装置。
【請求項２】
請求項１において、前記下側スプリング受け部は、レール支持ピンをスライド自在に支持する内側パイプ部材と、該内側パイプ部材の外周側に前記溝部を形成する外側パイプ部材とを備え、さらに、前記外側パイプ部材を、前記レール支持ピン及びスプリングを覆うカバー部材の取付部に兼用したことを特徴とする排稈搬送装置。
【発明の詳細な説明】
【０００１】
【発明の属する技術分野】
本発明は、コンバイン等に設けられる排稈搬送装置の技術分野に属するものである。
【０００２】
【従来の技術】
一般に、コンバインは、脱穀済みの排稈を、排稈フィードチェンと排稈レールとの間で挟持搬送する排稈搬送装置を備えている。この種の排稈搬送装置においては、排稈レールに突設されるレール支持ピンを、レール支持ブラケットでスライド自在に支持すると共に、レール支持ピンの外周部に、排稈レールを排稈フィードチェンに向けて付勢するスプリングを設けているが、レール支持ピンやスプリングが外部に露出している場合には、これらの部材に藁屑や埃が付着する許りでなく、雨や湿気によって錆が生じ、その結果、排稈レールの円滑な動きが阻害される可能性がある。
そこで、ブーツ、パイプ部材等のカバー部材でレール支持ピン及びスプリングを覆うことにより、これらの部材を藁屑、埃、雨、湿気等から保護することが提案されている（例えば、特許文献１、２参照。）。
【０００３】
【特許文献１】
実開昭５７−１９２１４６号公報（第６図）
【特許文献２】
実開昭６１−１４２５５９号公報（第２図）
【０００４】
【発明が解決しようとする課題】
しかしながら、上記レール支持ピンは、カバー部材で保護したとしても、グリス不足やグリス切れが生じると、円滑なスライド動作が阻害されるため、レール支持ピンやスプリングを単にカバー部材で覆うだけでは、排稈レールの円滑な動作を維持できないという問題がある。
【０００５】
【課題を解決するための手段】
本発明は、上記の如き実情に鑑みこれらの課題を解決することを目的として創作されたものであって、脱穀済みの排稈を、排稈フィードチェンと排稈レールとの間で挟持搬送する排稈搬送装置において、前記排稈レールに突設されるレール支持ピンを、レール支持ブラケットでスライド自在に支持すると共に、レール支持ピンの外周部に、排稈レールを排稈フィードチェンに向けて付勢するスプリングを設け、該スプリングの上端部を、レール支持ピンに設けられる上側スプリング受け部で受止める一方、スプリングの下端部を、レール支持ブラケットに設けられる下側スプリング受け部で受止めるにあたり、該下側スプリング受け部に、環状の溝部を形成すると共に、この溝部にスプリング下端部及びグリスを入れたことを特徴とする。つまり、下側スプリング受け部に環状の溝部を形成し、ここにスプリング下端部及びグリスを入れることにより、必要なグリス量を確保できる許りでなく、スプリングの動きを利用してレール支持ピンにグリスを供給することが可能になり、その結果、グリス不足やグリス切れを防止し、排稈レールの円滑な動作を維持することができる。
また、前記下側スプリング受け部は、レール支持ピンをスライド自在に支持する内側パイプ部材と、該内側パイプ部材の外周側に前記溝部を形成する外側パイプ部材とを備え、さらに、前記外側パイプ部材を、前記レール支持ピン及びスプリングを覆うカバー部材の取付部に兼用したことを特徴とする。この場合においては、部品の兼用化により、下側スプリング受け部の構造を簡略化することができる。
【０００６】
【発明の実施の形態】
次に、本発明の実施の形態の一つを図面に基づいて説明する。図面において、１はコンバインに搭載される脱穀部であって、該脱穀部１は、茎稈を扱室２に沿って挟持搬送する脱穀フィードチェン３と、搬送茎稈から穀粒を脱穀する扱胴４と、脱穀された穀粒を漏下する受網５と、該受網５から漏下せずに扱室２の終端まで達したものを単粒化処理する処理胴６と、該処理胴６が単粒化した穀粒を漏下する第二受網７と、前記受網５から漏下した穀粒を順次揺動搬送する揺動流板８と、該揺動流板８の終端部で穀粒を篩選別する篩選別部９と、該篩選別部９から漏下した穀粒を一番選別風で精選する送風ファン１０と、精選された穀粒を横搬送する一番ラセン１１と、該一番ラセン１１の終端まで搬送された穀粒を穀粒タンク１２に揚上搬送する揚穀筒１３と、前記篩選別部９から漏下しなかったものや第二受網７から漏下したものを篩選別するストロラック１４と、該ストロラック１４から漏下した穀粒を二番選別風で風選別する二番選別ファン１５と、風選別された二番物を横搬送する二番ラセン１６と、該二番ラセン１６の終端まで搬送されたものを選別経路中に還元する二番還元筒１７と、前記ストロラック１４の終端位置で藁屑等を機外に排出する排塵ファン１８と、脱穀処理済みの排稈を機体後部まで挟持搬送する排稈搬送装置１９と、該排稈搬送装置１９の終端部下方で排稈を細かく切断するカッター装置２０とを備えて構成される。
【０００７】
排稈搬送装置１９は、平面視で左右に並設される株元搬送体２１及び穂先搬送体２２を備えて構成され、両搬送体２１、２２の同期的な搬送動作により、排稈の株元側及び穂先側を搬送する。株元搬送体２１は、前後一対のスプロケット２３、２４間に懸回される排稈フィードチェン２５と、該排稈フィードチェン２５の下側に沿って配置される排稈レール２６とを備えており、排稈フィードチェン２５の搬送駆動により、排稈フィードチェン２５と排稈レール２６との間で排稈の株元部を挟持搬送するように構成される。そして、排稈レール２６は、排稈フィードチェン２５との間で排稈を弾性的に挟持するために、脱穀部本体側で上下動自在に支持されると共に、排稈フィードチェン２５に向けて付勢されており、以下、排稈レール２６の支持構造を図２及び図３に沿って詳細に説明する。
【０００８】
排稈レール２６は、パイプ部材で形成されるレール部２６ａと、該レール部２６ａの下側に沿う断面逆Ｕ字状の連結プレート部２６ｂとを一体的に溶着して構成されており、この連結プレート部２６ｂには、レール方向に所定間隔を存して、複数のレール支持ピン２７が取り付けられている。レール支持ピン２７の上端部には、断面Ｕ字状の連結プレート２８が溶着され、この連結プレート２８が連結ピン２９を介して排稈レール２６の連結プレート部２６ｂに連結されることにより、排稈レール２６とレール支持ピン２７との相対回動が許容される。
【０００９】
一方、脱穀部本体側には、各レール支持ピン２７を上下方向スライド自在に支持する複数のレール支持ブラケット３０が固設されている。そして、レール支持ブラケット３０でスライド支持されるレール支持ピン２７の外周部に、圧縮コイルスプリングからなるスプリング（圧縮コイルスプリング）３１を設けると共に、このスプリング３１の上端部を、レール支持ピン２７の上端部に設けられる上側スプリング受け部３２で受止める一方、スプリング３１の下端部を、レール支持ブラケット３０に設けられる下側スプリング受け部３３で受止めることにより、レール支持ピン２７及び排稈レール２６が排稈フィードチェン２５に向けて付勢されることになる。尚、図面において、３４はレール支持ピン２７を抜止めする割りピン、３５は連結ピン２９を抜止めする割りピンである。
【００１０】
上側スプリング受け部３２は、レール支持ピン２７の上端部にフランジ状に固設される円盤状の受けプレート３６と、該受けプレート３６に溶着されるパイプ部材３７とを備えて構成される。つまり、上側スプリング受け部３２は、レール支持ピン２７の上端部外周面と、パイプ部材３７の内周面との間に、受けプレート３６が溝底となる環状の溝部３８を形成しており、この溝部３８でスプリング３１の上端部が受け止められる。
【００１１】
一方、下側スプリング受け部３３は、レール支持ピン２７の下端部をスライド自在に支持する内側パイプ部材３９と、該内側パイプ部材３９の下端側にフランジ状に固設される円盤状の受けプレート４０と、該受けプレート４０に溶着される外側パイプ部材４１とを備えて構成される。つまり、下側スプリング受け部３３は、内側パイプ部材３９の外周面と、外側パイプ部材４１の内周面との間に、受けプレート４０が溝底となる環状の溝部４２を形成しており、この溝部４２でスプリング３１の下端部を受け止めるが、さらに溝部４２には、レール支持ピン２７の円滑なスライド動作を維持するためのグリス（図示せず）が入れられる（或いは溜まる。）。これにより、必要なグリス量を確保できる許りでなく、スプリング３１の動き（圧縮・復元動作）を利用してレール支持ピン２７にグリスを供給することが可能になる。
【００１２】
下側スプリング受け部３３は、レール支持ブラケット３０に形成される孔部３０ａに嵌合され、ここに溶接される。このとき、下側スプリング受け部３３のスプリング受け面（受けプレート４０の上面）は、レール支持ブラケット３０の取付面（上面）よりも下側に位置する。これにより、レール支持ブラケット３０の位置を変更することなく、スプリング３１のストロークを任意に設定することが可能になる。
【００１３】
また、上側スプリング受け部３２のパイプ部材３７と、下側スプリング受け部３３の外側パイプ部材４１は、同径のパイプ材を用いて形成されると共に、レール支持ピン２７及びスプリング３１を覆うカバー部材４３の取付部に兼用される。例えば、カバー部材４３は、伸縮自在な蛇腹状のブーツで形成され、その上下両端部が、固定バンド４４を用いてパイプ部材３７、４１の外周面に固定される。
【００１４】
叙述の如く構成されたものにおいて、脱穀済みの排稈を、排稈フィードチェン２５と排稈レール２６との間で挟持搬送する排稈搬送装置１９は、排稈レール２６に突設されるレール支持ピン２７を、レール支持ブラケット３０でスライド自在に支持すると共に、レール支持ピン２７の外周部に、排稈レール２６を排稈フィードチェン２５に向けて付勢するスプリング３１を設け、該スプリング３１の上端部を、レール支持ピン２７に設けられる上側スプリング受け部３２で受止める一方、スプリング３１の下端部を、レール支持ブラケット３０に設けられる下側スプリング受け部３３で受止めるように構成されるが、下側スプリング受け部３３には、環状の溝部４２が形成され、ここにスプリング３１の下端部と共にグリスが入れられる。そのため、必要なグリス量を確保できる許りでなく、スプリング３１の動きを利用してレール支持ピン２７にグリスを供給することが可能になり、その結果、グリス不足やグリス切れを防止し、排稈レール２６の円滑な動作を維持することができる。
【００１５】
また、下側スプリング受け部３３は、レール支持ピン２７をスライド自在に支持する内側パイプ部材３９と、該内側パイプ部材３９の外周側に前記溝部４２を形成する外側パイプ部材４１とを備え、さらに、外側パイプ部材４１を、レール支持ピン２７及びスプリング３１を覆うカバー部材４３の取付部に兼用しているため、部品の兼用化により、下側スプリング受け部３３の構造を簡略化することができる。
【図面の簡単な説明】
【図１】脱穀部の側面図である。
【図２】排稈搬送装置の要部を示す断面図である。
【図３】同上正面図である。
【符号の説明】
１　　脱穀部
３　　脱穀フィードチェン
１９　排稈搬送装置
２１　株元搬送体
２２　穂先搬送体
２５　排稈フィードチェン
２６　排稈レール
２７　レール支持ピン
３０　レール支持ブラケット
３１　スプリング
３２　上側スプリング受け部
３３　下側スプリング受け部
３９　内側パイプ部材
４０　受けプレート
４１　外側パイプ部材
４２　溝部
４３　カバー部材
４４　固定バンド
【図１】
2004097049.tif 000003
【図２】
2004097049.tif 000004
【図３】
2004097049.tif 000005